(57)【要約】【課題】マルチパスノイズが、直接波よりも間接波のレベルが低い場合に生じる後ゴーストであるか、直接波よりも間接波のレベルが高い場合に生じる前ゴーストであるかを区別すること。【解決手段】検波回路が、パイロット信号、主チャンネル信号および副チャンネル信号を含んだコンポジット信号をＦＭ放送信号から生成し、下側帯域抽出フィルタが、パイロット信号および主チャンネル信号間の信号を下側帯域信号としてコンポジット信号から抽出し、上側帯域抽出フィルタが、パイロット信号および副チャンネル間の信号を上側帯域信号としてコンポジット信号から抽出し、前後ゴースト検知回路が、下側帯域信号の位相が上側帯域信号の位相よりも遅れている場合に、マルチパスノイズを後ゴーストと判別し、上側帯域信号の位相が下側帯域信号の位相よりも遅れている場合に、マルチパスノイズを前ゴーストと判別するように受信機を構成する。【選択図】図３
2011239239.tif 000002
【特許請求の範囲】
【請求項１】
パイロット信号、該パイロット信号の周波数から所定周波数の間隔を開けて低周波数側に位置する第１のデータおよび該パイロット信号から所定周波数の間隔を開けて高周波数側に位置する第２のデータを含んだコンポジット信号を受信信号から生成する生成手段と、
前記パイロット信号および前記第１のデータ間における所定の周波数帯域の信号を下側帯域信号として前記コンポジット信号から抽出する下側帯域抽出手段と、
前記パイロット信号および前記第２のデータ間における所定の周波数帯域の信号を上側帯域信号として前記コンポジット信号から抽出する上側帯域抽出手段と、
前記下側帯域信号の位相と前記上側帯域信号の位相との差分に基づき、前記信号に含まれるマルチパスノイズが、直接波よりも間接波の信号レベルが低い場合に生じる後ゴーストであるか直接波よりも間接波の信号レベルが高い場合に生じる前ゴーストであるかを判別するゴースト種別判別手段と
を備えたことを特徴とする受信機。
【請求項２】
前記ゴースト種別判別手段は、
前記下側帯域信号の位相が前記上側帯域信号の位相よりも遅れている場合に、前記マルチパスノイズを前記後ゴーストと判別し、前記上側帯域信号の位相が前記下側帯域信号の位相よりも遅れている場合に、前記マルチパスノイズを前記前ゴーストと判別することを特徴とする請求項１に記載の受信機。
【請求項３】
前記ゴースト種別判別手段は、
前記下側帯域信号または前記上側帯域信号の一方の位相を所定時間遅延させて他方の信号と合成した合成信号に基づいて前記マルチパスノイズが後ゴーストであるか前ゴーストであるかを判別することを特徴とする請求項２に記載の受信機。
【請求項４】
前記ゴースト種別判別手段は、
位相を所定時間遅らせた前記上側帯域信号に対して前記下側帯域信号を合成した第１の合成信号と、位相を所定時間遅らせた前記下側帯域信号に対して前記上側帯域信号を合成した第２の合成信号との差分値の正負に応じて前記マルチパスノイズが後ゴーストであるか前ゴーストであるかを判別することを特徴とする請求項３に記載の受信機。
【発明の詳細な説明】
【技術分野】
【０００１】
本発明は、信号を受信する受信機に関し、特に、直接波と間接波との干渉によって生じるマルチパスノイズが、直接波よりも間接波のレベルが低い場合に生じる後ゴーストであるか、直接波よりも間接波のレベルが高い場合に生じる前ゴーストであるかを区別することができる受信機に関する。
【背景技術】
【０００２】
従来、ＦＭ放送信号などの信号を受信する受信機では、マルチパスノイズを低減・除去するために、マルチパスノイズの検知を行っている。
【０００３】
ここで、マルチパスノイズとは、放送局からの直接波と建物などで反射または回折された間接波とが干渉することによって生じるノイズである。なお、直接波よりも間接波のレベルが低い場合に生じるマルチパスノイズは「後ゴースト」と呼ばれ、直接波よりも間接波のレベルが高い場合に生じるマルチパスノイズは「前ゴースト」と呼ばれている。
【０００４】
たとえば、特許文献１には、マルチパスノイズが発生すると受信波の信号レベルが変動することに着目し、かかる変動を検知することによってマルチパスノイズの発生を検知する技術が開示されている。
【先行技術文献】
【特許文献】
【０００５】
【特許文献１】特開２００２−３５３８２５号公報
【発明の概要】
【発明が解決しようとする課題】
【０００６】
しかしながら、特許文献１に記載の技術では、検知されたマルチパスノイズが後ゴーストであるか前ゴーストであるかを区別することができないという問題があった。
【０００７】
これは、特許文献１に記載の技術が、直接波の信号レベルおよび間接波の信号レベルのどちらが高いかを判別することができないためである。具体的には、特許文献１に記載の技術は、直接波と間接波とが混在した受信波の信号レベルを検知しているに過ぎず、直接波の信号レベルおよび間接波の信号レベルを個別に検知することができないためである。
【０００８】
このため、従来技術では、たとえば、マルチパスノイズが後ゴーストである場合と前ゴーストである場合とでマルチパスノイズの除去処理の内容を異ならせるといったことができなかった。
【０００９】
このことから、マルチパスノイズが後ゴーストであるか前ゴーストであるかを区別することができる受信機をいかにして実現するかが大きな課題となっている。
【００１０】
本発明は、上述した従来技術による問題点を解消するためになされたものであって、直接波と間接波との干渉によって生じるマルチパスノイズが、直接波よりも間接波のレベルが低い場合に生じる後ゴーストであるか、直接波よりも間接波のレベルが高い場合に生じる前ゴーストであるかを区別することができる受信機を提供することを目的とする。
【課題を解決するための手段】
【００１１】
上述した課題を解決し、目的を達成するために、本発明は、パイロット信号、該パイロット信号の周波数から所定周波数の間隔を開けて低周波数側に位置する第１のデータおよび該パイロット信号から所定周波数の間隔を開けて高周波数側に位置する第２のデータを含んだコンポジット信号を受信信号から生成する生成手段と、前記パイロット信号および前記第１のデータ間における所定の周波数帯域の信号を下側帯域信号として前記コンポジット信号から抽出する下側帯域抽出手段と、前記パイロット信号および前記第２のデータ間における所定の周波数帯域の信号を上側帯域信号として前記コンポジット信号から抽出する上側帯域抽出手段と、前記下側帯域信号の位相と前記上側帯域信号の位相との差分に基づき、前記信号に含まれるマルチパスノイズが、直接波よりも間接波の信号レベルが低い場合に生じる後ゴーストであるか直接波よりも間接波の信号レベルが高い場合に生じる前ゴーストであるかを判別するゴースト種別判別手段とを備えたことを特徴とする。
【発明の効果】
【００１２】
本発明によれば、生成手段が、パイロット信号、該パイロット信号の周波数から所定周波数の間隔を開けて低周波数側に位置する第１のデータおよび該パイロット信号から所定周波数の間隔を開けて高周波数側に位置する第２のデータを含んだコンポジット信号を受信信号から生成し、下側帯域抽出手段が、パイロット信号および第１のデータ間における所定の周波数帯域の信号を下側帯域信号としてコンポジット信号から抽出し、上側帯域抽出手段が、パイロット信号および第２のデータ間における所定の周波数帯域の信号を上側帯域信号としてコンポジット信号から抽出し、ゴースト種別判別手段が、下側帯域信号の位相と上側帯域信号の位相との差分に基づき、信号に含まれるマルチパスノイズが、直接波よりも間接波の信号レベルが低い場合に生じる後ゴーストであるか直接波よりも間接波の信号レベルが高い場合に生じる前ゴーストであるかを判別することとした。したがって、直接波と間接波との干渉によって生じるマルチパスノイズが後ゴーストであるか前ゴーストであるかを区別することができるという効果を奏する。
【図面の簡単な説明】
【００１３】
【図１】図１は、本発明に係るゴースト種別判別手法の概要を示す図である。
【図２】図２は、本実施例に係るＦＭ受信機の構成を示すブロック図である。
【図３】図３は、前後ゴースト検知回路の構成を示すブロック図である。
【図４】図４は、コンポジット信号の構成を示す図である。
【図５】図５は、下側帯域抽出フィルタおよび上側帯域抽出フィルタのフィルタ特性を示す図である。
【図６】図６は、ゴースト種別判別シミュレーションの前提条件を示す図である。
【図７】図７は、ゴースト種別判別シミュレーションの結果を示す図である。
【発明を実施するための形態】
【００１４】
以下に添付図面を参照して、本発明に係るゴースト種別判別手法を適用した受信機の実施例を詳細に説明する。なお、以下では、本発明に係るゴースト種別判別手法の概要について図１を用いて説明した後に、本発明に係るゴースト種別判別手法を適用した受信機についての実施例を図２〜図７を用いて説明することとする。
【００１５】
まず、実施例の詳細な説明に先立ち、本発明に係るゴースト種別判別手法の概要について図１を用いて説明する。図１は、本発明に係るゴースト種別判別手法の概要を示す図である。なお、同図の（Ａ）には、受信信号を検波して得られるコンポジット信号の構成を、同図の（Ｂ）には、下側帯域信号および上側帯域信号の波形を、それぞれ示している。
【００１６】
本発明に係るゴースト種別判別手法は、直接波と間接波との干渉によって生じるマルチパスノイズが、直接波よりも間接波の信号レベルが低い場合に生じる後ゴーストであるか、直接波よりも間接波の信号レベルが高い場合に生じる前ゴーストであるかを判別する手法である。なお、直接波とは、放送局等の送信側から直接届く信号である。また、間接波とは、直接波と同一信号であるが、ビルや山などで反射または回折されることによって直接波よりも遅れて届く信号である。
【００１７】
まず、本発明に係るゴースト種別判別手法では、受信信号を検波（復調）してコンポジット信号を得る。ここで、コンポジット信号は、同図の（Ａ）に示したように、パイロット信号、第１のデータおよび第２のデータを含んだ信号である。
【００１８】
具体的には、パイロット信号は、第１のデータと第２のデータとの間に設けられた基準信号である。また、第１のデータは、パイロット信号の周波数から所定周波数の間隔を開けて低周波数側に位置するデータであり、第２のデータは、パイロット信号から所定周波数の間隔を開けて高周波数側に位置するデータである。
【００１９】
ここで、パイロット信号と第１のデータとの間の所定周波数帯域（下側帯域）およびパイロット信号と第２のデータとの間の所定周波数帯域（上側帯域）は、第１のデータと第２のデータとが重ならないように設けられたインターバルであり、本来利用されることのない帯域である。
【００２０】
本願の発明者らは、かかる下側帯域および上側帯域に着目し、研究を重ねた結果、下側帯域の信号である下側帯域信号および上側帯域の信号である上側帯域信号の位相のずれ方が、後ゴーストと前ゴーストとで異なることを発見した。そこで、本発明に係るゴースト種別判別手法では、かかる点に着目し、下側帯域信号および上側帯域信号の位相のずれ方の違いによってゴーストの種別を判別することとした。
【００２１】
具体的には、同図の（Ｂ−１）に示したように、受信信号に含まれるマルチパスノイズが後ゴーストである場合、下側帯域信号の位相は、上側帯域信号の位相と比較して遅れることが判明した。そこで、本発明に係るゴースト種別判別手法では、下側帯域信号の位相が上側帯域信号の位相よりも遅れている場合に、マルチパスノイズを後ゴーストであると判別することとした。
【００２２】
一方、同図の（Ｂ−２）に示したように、受信信号に含まれるマルチパスノイズが前ゴーストである場合、上側帯域信号の位相は、下側帯域信号の位相と比較して遅れることが判明した。そこで、本発明に係るゴースト種別判別手法では、上側帯域信号の位相が下側帯域信号の位相よりも遅れている場合に、マルチパスノイズを前ゴーストであると判別することとした。
【００２３】
このように、本発明に係るゴースト種別判別手法では、従来着目されていなかった下側帯域信号および上側帯域信号の位相のずれ方を検知することで、マルチパスノイズが後ゴーストであるか前ゴーストであるかを区別することとした。
【００２４】
具体的には、本発明に係るゴースト種別判別手法では、下側帯域信号の位相と上側帯域信号の位相との差分に基づき、信号に含まれるマルチパスノイズが、直接波よりも間接波の信号レベルが低い場合に生じる後ゴーストであるか直接波よりも間接波の信号レベルが高い場合に生じる前ゴーストであるかを判別することとした。したがって、本発明によれば、マルチパスノイズが後ゴーストであるか前ゴーストであるかを区別することができる。
【００２５】
なお、下側帯域信号および上側帯域信号の位相ずれの具体的な検知方法については、以下の実施例において後述することとする。
【００２６】
以下では、図１を用いて説明したゴースト種別判別手法を適用した受信機についての実施例を詳細に説明する。なお、以下では、受信機の一例として、ＦＭ放送信号を受信するＦＭ受信機を用いて説明することとする。
【実施例】
【００２７】
図２は、本実施例に係るＦＭ受信機の構成を示すブロック図である。同図に示すように、本実施例に係るＦＭ受信機１は、アンテナ１１と、フロントエンド部１２と、ＩＦＡＤ１３と、ＩＦ処理回路１４と、検波回路１５と、コンポジット処理回路１６と、ステレオデコーダ１７と、オーディオ処理回路１８と、スピーカ１９とを備えている。また、ＦＭ受信機１は、マルチパスノイズレベル検出回路２０と、検波回路２１と、前後ゴースト検知回路２２とを備えている。
【００２８】
アンテナ１１は、ＦＭ放送信号を受信してフロントエンド部１２へ出力する受信部である。フロントエンド部１２は、アンテナ１１からＦＭ放送信号を受け取ると、受け取ったＦＭ放送信号を増幅し、ＩＦ（Intermediate Frequency）信号へ周波数変換したうえでＩＦＡＤ１３へ出力する回路部である。なお、フロントエンド部１２は、高周波増幅器や局部発信器、ミキサ等を含んでいる。ＩＦＡＤ１３は、フロントエンド部１２から受け取ったＩＦ信号をＡＤ（Analog-Digital）変換してＩＦ処理回路１４、マルチパスノイズレベル検出回路２０および検波回路２１へそれぞれ出力する。
【００２９】
ＩＦ処理回路１４は、ＩＦＡＤ１３から受け取ったＩＦ信号の増幅や帯域制限等を行って検波回路１５へ出力する。検波回路１５は、ＩＦ処理回路１４から受け取ったＩＦ信号に対して検波処理を施してコンポジット信号を生成し、生成したコンポジット信号をコンポジット処理回路１６へ出力する。コンポジット処理回路１６は、検波回路１５から受け取ったコンポジット信号に対し、マルチパスノイズレベル検出回路２０から受け取ったマルチパスノイズレベルに応じたマルチパス除去処理等を施してステレオデコーダ１７へ出力する。
【００３０】
ステレオデコーダ１７は、コンポジット処理回路１６から受け取ったコンポジット信号に対してステレオ復調処理を施して左ステレオ信号（Ｌ信号）および右ステレオ信号（Ｒ信号）を生成し、オーディオ処理回路１８へ出力する。オーディオ処理回路１８は、ステレオデコーダ１７から受け取ったＬ信号およびＲ信号をアナログ信号へ変換し、音量調整等を行ったうえでスピーカ１９へ出力する。スピーカ１９は、Ｌ側スピーカおよびＲ側スピーカを備え、Ｌ信号に対応する音声をＬ側スピーカから出力し、Ｒ信号に対応する音声をＲ側スピーカから出力する。
【００３１】
マルチパスノイズレベル検出回路２０は、ＩＦＡＤ１３からのＩＦ信号の変動に基づいてマルチパスノイズのレベルを検出する回路である。かかるマルチパスノイズレベル検出回路２０は、検出したマルチパスノイズレベルをＩＦ処理回路１４、コンポジット処理回路１６およびオーディオ処理回路１８へ出力する。なお、ＩＦ処理回路１４、コンポジット処理回路１６およびオーディオ処理回路１８では、マルチパスノイズレベル検出回路２０から受け取ったマルチパスノイズレベルに応じたマルチパス除去処理が行われることとなる。
【００３２】
検波回路２１は、ＩＦＡＤ１３から受け取ったＩＦ信号に対して検波処理を施してコンポジット信号を生成し、生成したコンポジット信号を前後ゴースト検知回路２２へ出力する。前後ゴースト検知回路２２は、検波回路２１から受け取ったコンポジット信号に基づいてゴーストの種別を検知する回路である。
【００３３】
ここで、前後ゴースト検知回路２２の具体的な構成について図３を用いて説明する。図３は、前後ゴースト検知回路２２の構成を示すブロック図である。
【００３４】
同図に示したように、前後ゴースト検知回路２２は、下側帯域抽出フィルタ２２１ａと、上側帯域抽出フィルタ２２１ｂと、ＡＢＳ（絶対値回路）２２２ａ、２２２ｂと、ＬＰＦ（Low Pass Filter）２２３ａ，２２３ｂとを備えている。また、前後ゴースト検知回路２２は、遅延回路２２４ａ、２２４ｂと、乗算回路２２５ａ、２２５ｂと、加算回路２２６と、ＬＰＦ２２７とを備えている。
【００３５】
下側帯域抽出フィルタ２２１ａは、検波回路２１から受け取ったコンポジット信号から１７ｋＨｚ近傍の下側帯域信号を抽出してＡＢＳ２２２ａへ出力するバンドパスフィルタである。また、上側帯域抽出フィルタ２２１ｂは、検波回路２１から受け取ったコンポジット信号から２１ｋＨｚ近傍の上側帯域信号を抽出してＡＢＳ２２２ｂへ出力するバンドパスフィルタである。
【００３６】
ここで、検波回路２１から出力されるコンポジット信号の構成について図４を用いて説明する。図４は、コンポジット信号の構成を示す図である。なお、同図では、縦軸を信号レベル（ｄＢ）とし、横軸を周波数（ｋＨｚ）としている。
【００３７】
同図に示すように、コンポジット信号は、パイロット信号、第１のデータおよび第２のデータを含んだ信号である。
【００３８】
具体的には、パイロット信号は、主チャンネル信号と副チャンネル信号とを分離するための基準信号であり、１９ｋＨｚの周波数を有している。また、主チャンネル信号は、Ｌ信号およびＲ信号の和信号（Ｌ＋Ｒ信号）であり、１５ｋＨｚまでの帯域を有している。また、副チャンネル信号は、Ｌ信号およびＲ信号の差信号（Ｌ−Ｒ信号）であり、２３〜５８ｋＨｚの周波数帯域を有している。
【００３９】
このように、パイロット信号と主チャンネル信号との間およびパイロット信号と副チャンネル信号との間にはそれぞれ４ｋＨｚの間隔が設けられている。
【００４０】
そして、下側帯域抽出フィルタ２２１ａは、パイロット信号および主チャンネル信号間の周波数帯域である下側帯域の信号（以下、「下側帯域信号」と記載する）をコンポジット信号から抽出する。また、上側帯域抽出フィルタ２２１ｂは、パイロット信号および副チャンネル信号間の周波数帯域である上側帯域の信号（以下、「上側帯域信号」と記載する）をコンポジット信号から抽出する。
【００４１】
ここで、下側帯域抽出フィルタ２２１ａおよび上側帯域抽出フィルタ２２１ｂのフィルタ特性について図５を用いて説明しておく。図５は、下側帯域抽出フィルタ２２１ａおよび上側帯域抽出フィルタ２２１ｂのフィルタ特性を示す図である。なお、同図の（Ａ）には、下側帯域抽出フィルタ２２１ａのフィルタ特性を、同図の（Ｂ）には、上側帯域抽出フィルタ２２１ｂのフィルタ特性を、それぞれ示している。
【００４２】
同図の（Ａ）に示したように、下側帯域抽出フィルタ２２１ａは、パイロット信号の周波数である１９ｋＨｚよりも低い周波数帯域の信号をよく通し、他の周波数帯域の信号を減衰させる。具体的には、下側帯域抽出フィルタ２２１ａは、１５〜１７ｋＨｚ近傍の周波数帯域の信号を通過させる。
【００４３】
また、同図の（Ｂ）に示したように、上側帯域抽出フィルタ２２１ｂは、パイロット信号の周波数である１９ｋＨｚよりも高い周波数帯域の信号をよく通し、他の周波数帯域の信号を減衰させる。具体的には、上側帯域抽出フィルタ２２１ｂは、２１〜２３ｋＨｚ近傍の周波数帯域の信号を通過させる。
【００４４】
なお、下側帯域抽出フィルタ２２１ａおよび上側帯域抽出フィルタ２２１ｂのフィルタ特性は、これに限ったものではない。すなわち、下側帯域抽出フィルタ２２１ａのフィルタ特性は、パイロット信号および主チャンネル間の周波数帯域（１５〜１９ｋＨｚ）のうちの所定周波数帯域の信号を通過させるようなフィルタ特性であればよい。また、上側帯域抽出フィルタ２２１ｂのフィルタ特性も、パイロット信号および副チャンネル間の周波数帯域（１９〜２３ｋＨｚ）のうちの所定周波数帯域の信号を通過させるようなフィルタ特性であればよい。
【００４５】
図３に戻り、前後ゴースト検知回路２２の構成についての説明を続ける。ＡＢＳ２２２ａ，２２２ｂは、それぞれ下側帯域信号および上側帯域信号を全波整流する、すなわち、入力された下側帯域信号および上側帯域信号の正負にかかわらず、入力信号の絶対値に相当する信号を出力する。
【００４６】
ＬＰＦ２２３ａ，２２３ｂは、それぞれＡＢＳ２２２ａ，２２２ｂから出力された下側帯域信号および上側帯域信号に含まれる不要な高周波成分を取り除くためのフィルタである。ＬＰＦ２２３ａを通過した下側帯域信号は、遅延回路２２４ａおよび乗算回路２２５ａへ入力され、ＬＰＦ２２３ｂを通過した下側帯域信号は、遅延回路２２４ｂおよび乗算回路２２５ｂへ入力される。
【００４７】
遅延回路２２４ａは、入力された下側帯域信号の位相を所定時間遅らせるとともに、位相を遅らせた下側帯域信号を乗算回路２２５ｂへ出力する回路である。同様に、遅延回路２２４ｂは、入力された上側帯域信号の位相を所定時間遅らせるとともに、位相を遅らせた上側帯域信号を乗算回路２２５ａへ出力する回路である。
【００４８】
すなわち、乗算回路２２５ａには、上側帯域信号が、遅延回路２２４ｂによって位相を遅らされた状態で入力され、下側帯域信号が、位相を遅らされることなくそのまま入力されることとなる。また、乗算回路２２５ｂには、下側帯域信号が、遅延回路２２４ａによって位相を遅らされた状態で入力され、上側帯域信号が、位相を遅らされることなくそのまま入力されることとなる。
【００４９】
乗算回路２２５ａは、遅延回路２２４ｂによって位相が所定時間遅らされた上側帯域信号を下側帯域信号と合成する回路である。具体的には、乗算回路２２５ａは、入力された両信号を乗算するとともに、得られた信号を加算回路２２６へ出力する。
【００５０】
また、乗算回路２２５ｂも同様に、遅延回路２２４ａによって位相が所定時間遅らされた下側帯域信号を上側帯域信号と合成する回路であり、入力された両信号を乗算し、得られた信号を加算回路２２６へ出力する。なお、以下では、乗算回路２２５ａから出力される信号を第１の合成信号と呼び、乗算回路２２５ｂから出力される信号を第２の合成信号と呼ぶこととする。
【００５１】
加算回路２２６は、第１の合成信号から第２の合成信号を減算するとともに、得られた信号をＬＰＦ２２７へ出力する回路である。ここで、加算回路２２６は、アンテナ１１によって受信されたＦＭ放送信号に含まれるマルチパスノイズが後ゴーストである場合には、正の値を出力し、前ゴーストである場合には、負の値を出力することとなるが、かかる点については、後述する。
【００５２】
ＬＰＦ２２７は、加算回路２２６から出力された信号に含まれる不要な高周波成分を取り除くためのフィルタである。かかるＬＰＦ２２７を通過した信号は、図２に示したＩＦ処理回路１４へ出力される。
【００５３】
なお、ＩＦ処理回路１４では、加算回路２２６から出力された信号が正か負かによってマルチパスノイズの除去処理の内容を決定する。すなわち、ＩＦ処理回路１４では、加算回路２２６から出力された信号が正である場合には、後ゴーストに適したマルチパスノイズ除去処理を実行し、加算回路２２６から出力された信号が負である場合には、前ゴーストに適したマルチパスノイズ除去処理を実行する。
【００５４】
次に、本実施例に係るＦＭ受信機１を用いて行ったゴースト種別判別シミュレーションについて図６および図７を用いて説明する。まず、ゴースト種別判別シミュレーションの前提条件について図６を用いて説明する。図６は、ゴースト種別判別シミュレーションの前提条件を示す図である。なお、同図の（Ａ）には、マルチパスノイズが後ゴーストである場合の前提条件を、同図の（Ｂ）には、マルチパスノイズが前ゴーストである場合の前提条件を、それぞれ示している。
【００５５】
同図の（Ａ）に示したように、ゴースト種別判別シミュレーションでは、後ゴーストの前提条件として、直接波に対する間接波の遅延時間を１２μｓ、直接波に対する間接波の信号レベル差（Ｄ／Ｕ）を−１ｄＢとしている。
【００５６】
また、同図の（Ｂ）に示したように、ゴースト種別判別シミュレーションでは、前ゴーストの前提条件として、直接波に対する間接波の遅延時間を１２μｓ、直接波に対する間接波の信号レベル差（Ｄ／Ｕ）を＋１ｄＢとしている。
【００５７】
続いて、図６に示した前提条件を用いて行ったゴースト種別判別シミュレーションの結果について図７を用いて説明する。図７は、ゴースト種別判別シミュレーションの結果を示す図である。なお、同図の（Ａ）には、マルチパスノイズが後ゴーストである場合のシミュレーション結果を、同図の（Ｂ）には、マルチパスノイズが前ゴーストである場合のシミュレーション結果を、それぞれ示している。
【００５８】
図７の（Ａ１）および（Ｂ１）は、図３に示した検波回路２１から出力されるコンポジット信号の波形である。同図の（Ａ１）および（Ｂ１）に示したように、検波回路２１から出力されたコンポジット信号には、後ゴーストまたは前ゴーストに由来する信号レベルの変動（パルス）がそれぞれ確認された。また、後ゴーストに由来するパルスと前ゴーストに由来するパルスとは、波形が反転していることもわかった。
【００５９】
また、図７の（Ａ２）および（Ｂ２）は、図３に示した下側帯域抽出フィルタ２２１ａから出力される下側帯域信号の波形であり、同図の（Ａ３）および（Ｂ３）は、図３に示した上側帯域抽出フィルタ２２１ｂから出力される上側帯域信号の波形である。
【００６０】
ここで、同図の（Ａ２）および（Ａ３）に示したように、マルチパスノイズが後ゴーストである場合には、下側帯域信号の位相が上側帯域信号の位相と比較して遅れていることがわかる。また、同図の（Ｂ２）および（Ｂ３）に示したように、マルチパスノイズが前ゴーストである場合には、上側帯域信号の位相が下側帯域信号の位相と比較して遅れていることがわかる。
【００６１】
このように、本実施例に係るＦＭ受信機１では、下側帯域信号と上側帯域信号との位相の差分に基づいてマルチパスノイズが後ゴーストであるか前ゴーストであるかを区別することができる。
【００６２】
また、図７の（Ａ４）および（Ｂ４）は、図３に示した加算回路２２６から出力される検知信号の波形である。同図の（Ａ４）および（Ｂ４）に示したように、マルチパスノイズが後ゴーストである場合には、正の値の検知信号が加算回路２２６から出力され、前ゴーストである場合には、負の値の検知信号が加算回路２２６から出力されることがわかる。
【００６３】
ここで、後ゴーストの場合に正の値の検知信号が出力され、前ゴーストの場合に負の値の検知信号が出力される理由について説明しておく。
【００６４】
たとえば、マルチパスノイズが後ゴーストである場合、図７の（Ａ２）および（Ａ３）に示したように、下側帯域抽出フィルタ２２１ａおよび上側帯域抽出フィルタ２２１ｂを通過した時点では、下側帯域信号の位相が上側帯域信号の位相と比較して遅れている。言い換えれば、上側帯域信号の位相が下側帯域信号の位相よりも先進した状態となっている。
【００６５】
しかし、図３に示したように、上側帯域信号は、遅延回路２２４ｂによって位相が遅延されて乗算回路２２５ａへ入力される。このため、下側帯域信号および上側帯域信号は、乗算回路２２５ａへ入力された時点では、下側帯域抽出フィルタ２２１ａおよび上側帯域抽出フィルタ２２１ｂを通過した時点と比較して位相差が縮まることとなる。
【００６６】
そして、下側帯域信号および上側帯域信号の位相差が縮まった状態（たとえば、下側帯域信号および上側帯域信号の位相差がゼロとなった状態）で、乗算回路２２５ａが両信号を合成することによって、信号レベルの大きい第１の合成信号が出力されることとなる。
【００６７】
一方、下側帯域信号は、遅延回路２２４ａによって位相が遅延されて乗算回路２２５ｂへ入力される。このため、下側帯域信号および上側帯域信号は、乗算回路２２５ｂへ入力された時点では、下側帯域抽出フィルタ２２１ａおよび上側帯域抽出フィルタ２２１ｂを通過した時点と比較して位相差が広がることとなる。
【００６８】
そして、下側帯域信号および上側帯域信号の位相差が広がった状態で、乗算回路２２５ａが両信号を合成することによって、第１の合成信号と比較して信号レベルの低い第２の合成信号が出力されることとなる。
【００６９】
この結果、加算回路２２６が、信号レベルの大きい第１の合成信号から信号レベルの小さい第２の合成信号を減算することとなるため、加算回路２２６からは、正の値の検知信号が出力されることとなる。このように、マルチパスノイズが後ゴーストである場合には、加算回路２２６からは、正の値の検知信号が出力される。
【００７０】
なお、マルチパスノイズが前ゴーストである場合には、加算回路２２６が、信号レベルの小さい第１の合成信号から信号レベルの大きい第２の合成信号を減算することとなるため、加算回路２２６からは、負の値の検知信号が出力されることとなる。
【００７１】
上述してきたように、本実施例では、検波回路が、パイロット信号、パイロット信号の周波数から所定周波数の間隔を開けて低周波数側に位置する主チャンネル信号およびパイロット信号から所定周波数の間隔を開けて高周波数側に位置する副チャンネル信号を含んだコンポジット信号をＦＭ放送信号から生成する。また、本実施例では、下側帯域抽出フィルタが、パイロット信号および主チャンネル信号間における所定の周波数帯域の信号を下側帯域信号としてコンポジット信号から抽出し、上側帯域抽出フィルタが、パイロット信号および副チャンネル間における所定の周波数帯域の信号を上側帯域信号としてコンポジット信号から抽出する。
【００７２】
そして、本実施例では、前後ゴースト検知回路が、下側帯域信号の位相と上側帯域信号の位相との差分に基づいてマルチパスノイズが後ゴーストであるか前ゴーストであるかを判別する。具体的には、前後ゴースト検知回路は、下側帯域信号の位相が上側帯域信号の位相よりも遅れている場合に、マルチパスノイズを後ゴーストと判別し、上側帯域信号の位相が下側帯域信号の位相よりも遅れている場合に、マルチパスノイズを前ゴーストと判別することとした。したがって、直接波と間接波との干渉によって生じるマルチパスノイズが後ゴーストであるか前ゴーストであるかを区別することができる。
【００７３】
また、本実施例では、前後ゴースト検知回路が、位相を所定時間遅らせた上側帯域信号に対して下側帯域信号を合成した第１の合成信号と、位相を所定時間遅らせた下側帯域信号に対して上側帯域信号を合成した第２の合成信号との差分値の正負に応じてマルチパスノイズが後ゴーストであるか前ゴーストであるかを判別することとした。したがって、マルチパスノイズが後ゴーストであるか前ゴーストであるかを確実かつ容易に区別することができる。
【００７４】
ところで、上述してきた実施例では、下側帯域信号および上側帯域信号の位相ずれを検知するために、遅延回路および乗算回路を２つずつ設け、第１の合成信号および第２の合成信号を生成してこれら合成信号の差分値を求めることとした。しかし、下側帯域信号および上側帯域信号の位相ずれを検知するための構成は、これに限ったものではない。
【００７５】
たとえば、前後ゴースト検知回路２２に設けられる遅延回路は、１つであってもよい。具体的には、前後ゴースト検知回路２２は、上側帯域信号の位相を所定時間遅延させて下側帯域信号と合成させた「遅延あり合成信号」の信号レベルと、下側帯域信号および上側帯域信号を何れも遅延させることなく合成させた「遅延なし合成信号」の信号レベルとを比較する。
【００７６】
そして、「遅延あり合成信号」の信号レベルが「遅延なし合成信号」の信号レベルよりも高い場合にはマルチパスノイズが後ゴーストと判別し、低い場合には前ゴーストと判別することとしてもよい。なお、下側帯域信号の位相を所定時間遅延させて上側帯域信号と合成させる場合も同様である。
【００７７】
また、前後ゴースト検知回路２２は、遅延回路の遅延時間を徐々に変化させた場合における合成信号の信号レベルの変化に基づいて前後ゴーストを判別することもできる。具体的には、前後ゴースト検知回路２２は、上側帯域信号の遅延時間を徐々に長くした場合に、合成信号の信号レベルが大きくなればマルチパスノイズが後ゴーストであると判別し、小さくなれば前ゴーストであると判別することとしてもよい。
【００７８】
すなわち、マルチパスノイズが後ゴーストである場合には、上側帯域信号の遅延時間を徐々に長くすることで、下側帯域信号および上側帯域信号の位相差が徐々に縮まっていき、この結果、合成信号の信号レベルが徐々に大きくなることとなる。
【００７９】
逆に、マルチパスノイズが前ゴーストである場合には、上側帯域信号の遅延時間を徐々に長くすることで、下側帯域信号および上側帯域信号の位相差が徐々に広がっていき、この結果、合成信号の信号レベルが徐々に小さくなることとなる。前後ゴースト検知回路２２は、これを利用して前後ゴーストを判別することができる。
【００８０】
このように、前後ゴースト検知回路が、下側帯域信号または上側帯域信号の一方の位相を所定時間遅延させて他方の信号と合成した合成信号に基づいてマルチパスノイズが後ゴーストであるか前ゴーストであるかを判別することとすれば、比較的簡単な構成で前後ゴーストを判別することが可能となる。
【産業上の利用可能性】
【００８１】
以上のように、本発明に係る受信機は、直接波と間接波との干渉によって生じるマルチパスノイズが、直接波よりも間接波のレベルが低い場合に生じる後ゴーストであるか、直接波よりも間接波のレベルが高い場合に生じる前ゴーストであるかを区別したい場合に有用であり、特に、ＦＭ放送信号に含まれるマルチパスノイズが後ゴーストであるか前ゴーストであるかを区別する場合に適している。
【符号の説明】
【００８２】
１１    アンテナ
１２    フロントエンド部
１３    ＩＦＡＤ
１４    ＩＦ処理回路
１５    検波回路
１６    コンポジット処理回路
１７    ステレオデコーダ
１８    オーディオ処理回路
１９    スピーカ
２０    マルチパスノイズレベル検出回路
２１    検波回路
２２    前後ゴースト検知回路
２２１ａ  下側帯域抽出フィルタ
２２１ｂ  上側帯域抽出フィルタ
２２２ａ，２２２ｂ  ＡＢＳ
２２３ａ，２２３ｂ  ＬＰＦ
２２４ａ，２２４ｂ  遅延回路
２２５ａ，２２５ｂ  乗算回路
２２６    加算回路
２２７    ＬＰＦ
【図１】
2011239239.tif 000003
【図２】
2011239239.tif 000004
【図３】
2011239239.tif 000005
【図４】
2011239239.tif 000006
【図５】
2011239239.tif 000007
【図６】
2011239239.tif 000008
【図７】
2011239239.tif 000009